(57)【要約】      （修正有）【課題】円形テーブル上の搭載物を自動で任意の時間で任意の方向へ向け起動稼働停止の設定ができる回転台を提供する。【解決手段】タイマ遅延リレーモジュール回転台は、基盤、円形テーブル台、円形テーブル、電源、赤外線センサー、接触圧力スイッチ、タイマ遅延リレーモジュール、ギアモター減速機又はステッピングモーター、ウオームギア、円形テーブル側面の平ギアで構成する。円形テーブルを回転或は回動作業を指定の時間又は、任意の位置まで稼働或は任意の停止又は休止を行うことで、搭載物を回転回動展示や回転回動展覧が可能であり、その、タイマ遅延リレーモジュール回転台は、薄型軽量で耐久性と安全性に重点を置いた構造とした。【選択図】図１
0003232676.tif 000002
【実用新案登録請求の範囲】
【請求項１】
タイマ遅延リレーモジュール回転台は、基盤、円形テーブル台、円形テーブル、電源、赤外線センサー、接触圧力センサー、タイマ遅延リレーモジュール、ギアモーター減速機又はステッピングモーター、ウオームギア、円形テーブル側面の平ギアで構成する、円形テーブル台は円形テーブルと相似形で形成される、電源はＤＣ４Ｖ〜２４Ｖを用いる、赤外線センサーと接触圧力センサーはＤＣ４Ｖのトリガー信号の指令を受けて、タイマ遅延リレーモジュールは起動し、ＤＣ６Ｖギアモーター減速機を稼働或は停止、休止を行う、その、ギアモーター減速機の動力はウオームギアの水平軸ギアにより円形テーブル側面に設けられた垂直軸平ギアへ伝達され円形テーブルをタイマ遅延リレーモジュールの指令に従って稼働、停止運動する、そして、タイマ遅延リレーモジュール回転台に設けたギアモーターの電源が停止中はギアモーター減速機の抗力とウオームギアの水平軸ギアの抗力と円形テーブル側面に設けられた垂直軸平ギアの抗力により嵌合され円形テーブルの挙動行動を強力阻止する、という構成を有するタイマ遅延リレーモジュール回転台。
【考案の詳細な説明】
【技術分野】
【０００１】
タイマ遅延リレーモジュール回転台に関する。
【背景技術】
【０００２】
脱ぎ終えた履物を１８０度自動で反転する、安全性に優れた履物回転装置の提供。
【先行技術文献】
【特許文献】
【０００３】
【特許文献１】実用新案登録第3116346号履物回転装置、特開2005-224296履物回転装置、特開2004-283471履物回転装置、
【非特許文献】
【０００４】
【非特許文献１】電動回転台 知能ターンテーブル 遠隔操作 スムーズに回転 回転のスピード、方向、角度が調整可能 騒音が小さい 静かな場所でも使える 展示用 110Ｖ
【考案の概要】
【考案が解決しようとする課題】
【０００５】
高齢者や虚弱者は履き物の向きを変える作業は大変であり、更に、後ろ向きに脱ぐことは危険である、そこで、タイマ遅延リレーモジュール回転台は躓くことがないよう全体が薄型で安定性や安全性があること、稼働中の円形テーブルは危険を告知する赤色灯を点灯する構造とした、そして、円形テーブル上の搭載物を自動で任意の時間で任意の方向へ向け起動稼働停止の設定ができる回転台を提供する。
【課題を解決するための手段】
【０００６】
タイマ遅延リレーモジュール回転台は、基盤、円形テーブル台、円形テーブル、電源、赤外線センサー、接触圧力スイッチ、タイマ遅延リレーモジュール、ギアモター減速機又はステッピングモーター、ウオームギア、円形テーブル側面の平ギアで構成する、基盤は安定に固定する、円形テーブル台は、円形テーブルと相似形で形成される、電源はＤＣ４Ｖ〜６Ｖを用いた、赤外線センサーと接触圧力スイッチのトリガー信号の指令を受けて、タイマ遅延リレーモジュールは通電し、ギアモター減速機を起動し、稼働或は停止、休止を行う、その、ギアモター減速機の動力はウオームギアの水平軸ギアにより円形テーブル側面の垂直軸平ギアへ伝達して円形テーブルを稼働する、その円形テーブルを回転或は回動作業を指定の時間又は、任意の位置まで稼働或は任意の停止又は休止を行うことで、搭載物を回転回動展示や回転回動展覧が可能であり、その、タイマ遅延リレーモジュール回転台は、薄型軽量で耐久性と安全性に重点を置いた構造とした。
【考案の効果】
【０００７】
タイマ遅延リレーモジュール回転台は、薄型軽量で耐久性と安全性に富み稼働時間や停止時間を自由に設定できる構造としたことで、履物を１８０度自動反転したり、回転テーブルとすれば展示台としたり、カメラを乗せれば３６０度撮影ができる。
【図面の簡単な説明】
【０００８】
【図１】本考案の平面図である。
【図２】本考案の側面図である。
【考案を実施するための形態】
【０００９】
タイマ遅延リレーモジュール回転台の、基盤や円形テーブル台は随意の形状でもよい、円形テーブルの大小は任意である、電源は赤外線センサーと接触圧力スイッチとタイマ遅延リレーモジュールをDC４V〜２４Vを用いる、ギアモター減速機或はステッピングモーターと、ウオームギアと円形テーブル側面の平ギアで構成したことで低速度の回転と回動で移動する、電源が停止時は円形テーブルとウヲームギアは嵌合停止する、テーブル台は他の機能を併設する様形成しても良い、タイマ遅延リレーモジュールは近接圧力スイッチと赤外線センサーと人感センサーで起動稼働停止休止を行う、接触圧力スイッチはセンサースイッチを用いても可能で、その、トリガー信号の指令を受けてタイマ遅延リレーモジュールは起動するとギアモター減速機も起動、稼働或は停止、休止を行う、その、ギアモター減速機の動力はウオームギアの水平軸平ギアにより円形テーブル側面に設けられた垂直軸平ギアへ伝達される、円形テーブルへ目的物を搭載すると、赤外線センサーと接触圧力スイッチより電源が給電され、赤外線センサーと接触圧力スイッチのトリガー信号の指令を受けて、タイマ遅延リレーモジュールが起動し、ギアモター減速機を起動稼働しギアモター減速機の動力をウオームギアを介して水平軸平ギアにより円形テーブル側面の垂直軸平ギアへ伝達して円形テーブルを回転或は回動作業を指定の時間又は、任意の位置まで稼働或は任意の停止又は休止を行うことで、搭載物の回転回動展示や回転回動展覧を可能とする、さらに、ウオームギアと水平軸平ギアで構成したことでウオームギアの動力は水平軸平ギアへ容易に伝導するが電源停止時は水平軸平ギアを回転、回動しようとしてもウオームギアやギアモーター減速機の抵抗が大きく回転、回動することは構造上無理がある、これにより電源停止時は円形テーブルは動くことなく静止され安全が保全される、文中ギアモター減速機とあるをステッピングモターと読み替えても良い。
【実施例】
【００１０】
タイマ遅延リレーモジュール回転台は薄型の基盤と円形テーブル台或は任意形状のテーブル台と、薄型の円形テーブルは柔軟性と耐久性のある素材とする、電源はＤＣ４Ｖから２４Ｖを用いる、タイマ赤外線センサーと接触圧力スイッチのトリガー信号の指令を受けて、タイマ遅延リレーモジュールは稼働し、ギアモター減速機或はステッピングモーターを起動、稼働、停止、休止を行う、その、ギアモター減速機の動力はウオームギアと円形テーブル側面の垂直軸平ギアへ伝達され円形テーブルを稼働する、その、円形テーブルへ目的物を搭載すると、ＤＣ６Ｖ電源がタイマ遅延リレーモジュールへトリガーされる、そして、タイマ遅延リレーモジュールが稼働することでギアモター減速機を稼働し、そのギアモター減速機の動力をウオームギアと円形テーブル側面の垂直軸平ギアへ伝達して円形テーブルをタイマ遅延リレーモジュールの指令に従って回転或は回動作業を行う、その指定の時間又は、位置まで稼働或は停止又は休止を行うことで、搭載物の回転回動展示や回転回動展覧で動画撮影や立体撮影を可能とする。
【産業上の利用可能性】
【００１１】
家庭における利用として履物の１８０度回動に用い、産業用としては回動、回転展示台、部品の作業台に用い、展覧会会場の展示物を回転或はパルス状稼働展示できる、さらに、円形テーブルに搭載し、動画撮影で３６０度撮影もできる。
【符号の説明】
【００１２】
１  基盤
2  円形テーブル台
3  円形テーブル
4  赤外線センサー
5  接触圧力スイッチ
6  タイマ遅延リレーモジュール
7  ギアモーター減速機
8  ウオームギア
9  平ギア
10  電源
【図１】
0003232676.tif 000003
【図２】
0003232676.tif 000004